(57)【要約】【課題】  １台の集合玄関機から新旧何れかの居室親機を呼び出して通話を可能とする制御機を提供する。【解決手段】  通信可能な新居室親機２のＩＤ情報を記憶するＦＲＯＭ４１と、旧システムの通信プロトコルと新システムの通信プロトコルを相互変換して旧制御機と通信を実施するためのアダプタ４ｂとを備え、制御機ＣＰＵ４２は、通信可能な新居室親機２が追加されたらＦＲＯＭ４１にそのＩＤ情報を追加し、新集合玄関機１から呼出信号を受けて新居室親機２を呼び出すか旧集居室親機を呼び出すか、ＦＲＯＭ４１の情報を参照して呼出信号送信先を選択し、ＦＲＯＭ４１に登録されていない居室親機を呼び出す場合は、アダプタ４ｂを介して旧制御機と通信を実施して旧居室親機に呼出信号を送信する。【選択図】  図２
2011035469.tif 000002
【特許請求の範囲】
【請求項１】
居住者を呼び出すために集合住宅のエントランスに設置された集合玄関機と、前記集合玄関機からの呼び出しに応答するために各住戸に設置された居室親機とが接続され、双方の間の通信を制御する集合住宅インターホンシステムの制御機であって、
接続されて通信可能な状態にある前記居室親機のＩＤ情報を記憶する接続親機ＩＤ記憶部と、
通信可能な居室親機が追加されたら前記接続親機記憶部にそのＩＤ情報を追加登録するＩＤ登録制御手段と、
別途設置されている他の集合住宅インターホンシステムの制御機と通信を実施するための通信プロトコル変換部を備えたインターフェース手段と、
前記集合玄関機から呼出信号を受けて前記居室親機を呼び出すか、前記インターフェース手段を介して前記他の集合住宅インターホンシステムを構成する他の居室親機を呼び出すか、前記接続親機ＩＤ記憶部を参照して呼出信号送信先を選択制御する呼出制御手段と、
を有し、
前記呼出制御手段は、前記接続親機ＩＤ記憶部に登録されていない居室親機を呼び出す場合は、前記他の集合住宅インターホンシステムの制御機に呼出信号を送信して前記他の居室親機を呼び出すことを特徴とする集合住宅インターホンシステムの制御機。
【請求項２】
前記インターフェース手段は、制御機本体と分離したケースに収容され、制御機本体に接続する第１接続部と前記他の制御機に接続する第２接続部とを有することを特徴とする請求項１記載の集合住宅インターホンシステムの制御機。
【請求項３】
前記インターフェース手段には、映像信号の変調方式を前記他の集合住宅インターホンシステムの変調方式に変換する変調方式変換部が備えられ、
前記呼出制御手段が、呼出信号と共に映像信号をインターフェース手段に送信した場合は、前記映像信号が前記他の集合住宅インターホンシステムの変調方式に変換されて他の制御機を介して他の居室親機に送信されることを特徴とする請求項１又は２記載の集合住宅インターホンシステムの制御機。
【請求項４】
集合住宅のエントランスに設置されて居住者を呼び出して通話する機能を有する集合玄関機と、各住戸に設置されて前記集合玄関機からの呼び出しに応答する機能を有する居室親機と、前記集合玄関機と前記居室親機との間の通信を制御する制御機とを備えた集合住宅インターホンシステムを新旧入れ替えるリニューアル方法であって、
新集合住宅インターホンシステムを構成する新制御機として請求項１乃至３の何れかに記載の制御機を使用して新旧制御機を並列に配置し、
居室親機を全て新居室親機に更新するまでの間、旧制御機の集合玄関機接続部と前記新制御機のインターフェース手段とを接続し、
新集合玄関機からの呼出操作に対して新旧何れかの居室親機に呼出信号を送信して、任意の住戸の居住者の呼び出しを可能とし、旧居室親機から新居室親機への移行を随時可能とすることを特徴とする集合住宅インターホンシステムのリニューアル方法。
【発明の詳細な説明】
【技術分野】
【０００１】
本発明は集合住宅インターホンシステムに関し、特に集合住宅インターホンシステムのリニューアルを行い易いよう構成した集合住宅インターホンシステムの制御機に関する。
【背景技術】
【０００２】
集合住宅インターホンシステムをリニューアルする場合、旧システムで使用した配線を利用して新システムを構築するのが配線作業のコストを削減できるため普及している（例えば、特許文献１参照）。
しかし、この方式によりリニューアルする場合、リニューアル中は新旧何れのシステムも使用出来ないため、来訪者が集合玄関機を使用して居住者を呼び出すことができなかった。この使用できない期間が、例えば数時間或いは一日程度であれば、来訪者に対しても大きな迷惑をかけることはないが、集合住宅では交換する機器が多いため、使用できない期間が数日あるいは１週間程度かかり、リニューアル期間中は、来訪者や居住者に大きな迷惑をかけていた。
このようなことから、配線を共通にせず、新システムへの移行が完了するまでの間、新システムと共に旧システムも稼働させ、新旧何れかのシステムで居住者を呼び出しできるよう構成し、システムリニューアル中であっても来訪者等に迷惑をかけないリニューアル方法がある。
【先行技術文献】
【特許文献】
【０００３】
【特許文献１】特開２００５−２６０３５９号公報
【発明の概要】
【発明が解決しようとする課題】
【０００４】
上記新旧システムを並行稼働させるリニュアル方法により、来訪者が訪問先の居住者を呼び出しできないような事態を防ぐことはできる。しかしながら、居室親機が新システムに入れ替えられる度に、呼び出すための集合玄関機が旧集合玄関機から新集合玄関機に変更される為、新集合玄関機で呼び出す事のできる居室番号を来訪者がわかるように随時掲示する必要があり、呼び出す際に混乱してしまうなどの問題があった。
また、集合住宅によってはエントランスに新旧２台の集合玄関機を設置するには十分な広さがない場合があり、このような集合住宅では新旧のシステムを並行に稼働させるリニューアル方法が採用できなかった。
【０００５】
そこで、本発明はこのような問題点に鑑み、１台の集合玄関機から新旧何れかの居室親機を呼び出して通話を可能とする制御機を提供すること、またリニューアル中であっても１台の集合玄関機のみで確実に居住者を呼び出しできる集合住宅インターホンシステムのリニューアル方法を提供することを目的としている。
【課題を解決するための手段】
【０００６】
上記課題を解決する為に、請求項１の発明は、居住者を呼び出すために集合住宅のエントランスに設置された集合玄関機と、集合玄関機からの呼び出しに応答するために各住戸に設置された居室親機とが接続され、双方の間の通信を制御する集合住宅インターホンシステムの制御機であって、接続されて通信可能な状態にある居室親機のＩＤ情報を記憶する接続親機ＩＤ記憶部と、通信可能な居室親機が追加されたら接続親機記憶部にそのＩＤ情報を追加登録するＩＤ登録制御手段と、別途設置されている他の集合住宅インターホンシステムの制御機と通信を実施するための通信プロトコル変換部を備えたインターフェース手段と、集合玄関機から呼出信号を受けて居室親機を呼び出すか、インターフェース手段を介して他の集合住宅インターホンシステムを構成する他の居室親機を呼び出すか、接続親機ＩＤ記憶部を参照して呼出信号送信先を選択制御する呼出制御手段と、を有し、呼出制御手段は、接続親機ＩＤ記憶部に登録されていない居室親機を呼び出す場合は、他の集合住宅インターホンシステムの制御機に呼出信号を送信して他の居室親機を呼び出すことを特徴とする。
【０００７】
このように構成した制御機を、新設の集合住宅インターホンシステムに使用すれば、別途設置されている既設の集合住宅インターホンシステムとの間で通信を行い既設の居室親機であっても新設の集合玄関機から呼び出すことができる。
そのため、集合住宅インターホンシステムをリニューアルする際に、新システムの制御機として本発明の制御機を使用すれば、集合玄関機１台で新旧双方のシステムを並行稼働させることができ、システムを更新する途中の工程で、集合玄関機を新旧２台配置しておかなくても新旧何れかの居室親機を呼び出すことができる。
よって、エントランスが狭い集合住宅であっても、来訪者に迷惑をかけることなくスムーズなリニューアル作業を実施できるし、呼び出しできる居室親機を変更する度に、その通知をエントランスに掲示する必要も無くなる。
更に、新旧制御機間の通信に際して通信プロトコルを変換するので、新旧のシステムの通信プロトコルが異なる構成であっても、新集合玄関機から旧居室親機を呼び出すことが可能であり、更新機種が制限されることもない。
【０００８】
請求項２の発明は、請求項１に記載の構成において、インターフェース手段は、制御機本体と分離したケースに収容され、制御機本体に接続する第１接続部と他の制御機に接続する第２接続部とを有することを特徴とする。
この構成によれば、インターフェース手段は容易に取り外すことができるので、必要ない場合は取り外せば良い。また変更も容易となるため、接続先のシステムの通信プロトコルに合わせてインターフェース手段を交換することも可能となり、制御機のコストダウンを図ることができる。
【０００９】
請求項３の発明は、請求項１又は２に記載の構成において、インターフェース手段には、映像信号の変調方式を他の集合住宅インターホンシステムの変調方式に変換する変調方式変換部が備えられ、呼出制御手段が、呼出信号と共に映像信号をインターフェース手段に送信した場合は、映像信号が他の集合住宅インターホンシステムの変調方式に変換されて他の制御機を介して他の居室親機に送信されることを特徴とする。
この構成によれば、映像信号の変調方式が異なっても接続した他のシステムへ来訪者撮像映像を伝送できる。よって、新集合玄関機から旧居室親機に映像信号を伝送することができる。
【００１０】
請求項４の発明は、集合住宅のエントランスに設置されて居住者を呼び出して通話する機能を有する集合玄関機と、各住戸に設置されて集合玄関機からの呼び出しに応答する機能を有する居室親機と、集合玄関機と居室親機との間の通信を制御する制御機とを備えた集合住宅インターホンシステムを新旧入れ替えるリニューアル方法であって、新集合住宅インターホンシステムを構成する新制御機として請求項１乃至３の何れかに記載の制御機を使用して新旧制御機を並列に配置し、居室親機を全て新居室親機に更新するまでの間、旧制御機の集合玄関機接続部と新制御機のインターフェース手段とを接続し、新集合玄関機からの呼出操作に対して新旧何れかの居室親機に呼出信号を送信して、任意の住戸の居住者の呼び出しを可能とし、旧居室親機から新居室親機への移行を随時可能とすることを特徴とする。
この方法によれば、旧システムを新制御機のインターフェース手段に接続することで、新システムの集合玄関機から旧居室親機も呼び出すことが可能となる。そのため、システムを更新する途中の工程で、集合玄関機を新旧２台配置しておくことなく任意の居住者を１台の集合玄関機から呼び出すことができ、エントランスが狭い場合でもスムーズな交換作業を実施できる。また、呼び出しできる居室親機を変更する度に、その通知をエントランスに掲示する必要も無くなる。
【発明の効果】
【００１１】
本発明に係る集合住宅インターホンシステムの制御機によれば、集合住宅インターホンシステムを更新する際に新システムの制御機としてこの制御機を使用し、インターフェース手段を旧システムの制御機と接続することで、新システムの集合玄関機から旧居室親機も呼び出すことができる。よって、集合玄関機１台で新旧双方のシステムを並行稼働させることができる。
【００１２】
また、本発明に係る集合住宅インターホンシステムの交換方法によれば、新システムの集合玄関機から旧居室親機も呼び出すことができ、システムを更新する途中の工程で、集合玄関機を新旧２台配置しておく必要が無くなる。そのため、エントランスが狭い場合でもスムーズな交換作業を実施できるし、呼び出しできる居室親機を変更する度に、その通知をエントランスに掲示する必要も無くなる。
【図面の簡単な説明】
【００１３】
【図１】本発明に係る制御機を備えた新集合住宅インターホンシステムを旧集合住宅インターホンシステムに接続した概略構成図である。
【図２】図１の新集合住宅インターホンシステムの要部を回路ブロックで示した構成図である。
【発明を実施するための形態】
【００１４】
以下、本発明を具体化した実施の形態を、図面に基づいて詳細に説明する。図１，図２は本発明に係る制御機を使用した集合住宅インターホンシステムの構成を示し、図１は既設の集合住宅インターホンシステムと接続した状態を示し、図２は機器の要部を回路ブロック図で示した構成図である。
図１において、Ｓ１は新たに設置される新集合住宅インターホンシステム（以下、新システムとする）、Ｓ２はリニューアル対象の旧集合住宅インターホンシステム（以下、旧システムとする）であり、新システムにリニューアルする途中の状態を示している。
【００１５】
新システムＳ１は、集合玄関に設置されて居住者を呼び出す機能を備えた新集合玄関機１、各住戸に設置されて呼び出しに応答する機能を備えた新居室親機２，２・・、管理室に設置されて居住者等と通話する機能を備えた新管理室親機３、各機器間の通信を制御する新制御機４を備えている。但し、新制御機４は、新制御機の主要部である本体４ａと、この本体４ａとは分離されたケース内に組み付けられたアダプタ４ｂとで構成されている。アダプタ４ｂは、旧システムＳ２と通信するために使用される。
新集合玄関機１、新居室親機２、新管理室親機３は、夫々伝送線Ｌ１，Ｌ２，Ｌ３を介して新制御機４に接続され、アダプタ４ｂは伝送線Ｌ４により新制御機本体４ａと接続され、伝送線Ｌ５により旧システムＳ２と接続される。
【００１６】
尚、旧システムＳ２は、旧集合玄関機６１、旧居室親機６２、旧管理室親機６３、旧制御機６４等を備えている。但し、新システムＳ１が接続された段階で後述するように旧集合玄関機６１は撤去される。
【００１７】
新システムＳ１は具体的に次のように構成されている。新集合玄関機１は、呼出ボタンやテンキーを備えた操作部１１、来訪者を撮像するためのカメラ１２、通話の為のマイク１３及びスピーカ１４、新集合玄関機１全体を制御する集合玄関機ＣＰＵ１５、新制御機４と通信するための集合玄関機インターフェース（集合玄関機ＩＦ）１６を備えている。
【００１８】
新居室親機２は、呼び出しに応答するための通話ボタン２１、通話のためのマイク２２及びスピーカ２３、カメラ１２の撮像映像を表示するためのモニタ２４等を備えている。新管理室親機３は、居室親機を選択して居住者を呼び出すための操作部３１、通話するためのハンドセット３２等を備えている。
【００１９】
新制御機４の本体４ａは、住戸番号と新居室親機２の関係及び通信が可能な状態にある新居室親機２のＩＤを記憶するＦＲＯＭ（フラッシュメモリ）４１、通信を制御すると共に新制御機４全体を制御する制御機ＣＰＵ４２、新集合玄関機１や新居室親機２及び管理室親機３と通信するための制御機第１インターフェース（制御機第１ＩＦ）４３、アダプタ４ｂと通信するための制御機第２インターフェース（制御機第２ＩＦ）４４等を備えている。
【００２０】
また、アダプタ４ｂは、新集合玄関機１から変調されて伝送されて来たカメラ１２の撮像映像信号を旧システムＳ２が使用している変調信号に再変換する変調方式変換部５１、新システムＳ１から伝送された呼出信号等の信号を旧システムＳ２が受信できるよう通信プロトコルを変換する機能や、逆に旧システムＳ２から伝送された信号を新システムＳ１が受信できるよう通信プロトコルを変換する機能を有し、アダプタ４ｂ全体を制御するアダプタＣＰＵ５３、新制御機４の本体４ａと通信するためのアダプタ第１インターフェース（アダプタ第１ＩＦ）５４、旧制御機６４と通信するためのアダプタ第２インターフェース（アダプタ第２ＩＦ）５５等を備えている。
尚、変調方式変換部５１は、伝送されてきた映像信号を復調する映像復調回路５１ａと、この復調した映像信号を旧システムＳ２が使用している変調方式に再変調する映像変調回路５１ｂとを備えている。
【００２１】
以上の如く構成された集合住宅インターホンシステムのリニューアルは次のように行われる。まず、旧集合玄関機６１を取り外して新集合玄関機１を設置する。そして、旧制御機６４の近傍に新制御機４を設置し、新集合玄関機１と新制御機４を伝送線Ｌ１で接続し、新制御機４と旧制御機６４を接続する。この時、アダプタ第１ＩＦ５４が伝送線Ｌ４により新制御機本体４ａの制御機第２ＩＦ４４に接続され、アダプタ第２ＩＦ５５が伝送線Ｌ５を介して旧制御機６４の旧集合玄関機６１が接続されていた図示しない端子（集合玄関機接続部）に接続される。こうして、新制御機４が旧制御機６４に接続され、新旧システムＳ１，Ｓ２が連結される。
【００２２】
この状態で、新制御機４から各住戸に対して伝送線Ｌ２が配設され、各住戸の居室親機の新旧入れ替えが実施される。入れ替えが行われて、新居室親機２と新制御機４とが接続されて双方の間で通信が可能となったら、制御機ＣＰＵ４２がそれを認識する。このとき、制御機ＣＰＵ４２は、新居室親機４との通信で新居室親機４のＩＤ情報を入手し、住戸番号に関連付けてＦＲＯＭ４１に登録する。
この登録により、新集合玄関機１から登録された新居室親機２に対する呼び出しが成されたら、制御機ＣＰＵ４２は呼び出された住戸が新居室親機２へ入れ替えられたことを認識して旧居室親機６２へ呼出信号を送出すること無く、新居室親機２に呼出信号を送信する。尚、制御機ＣＰＵ４２による新居室親機２の登録制御は適宜実施され、旧居室親機６２が新居室親機２に入れ替えられる度に行われる。
こうして、全ての居室親機２，６２、更には管理室親機３，６３が入れ替えられたら、アダプタ４ｂを取り外し、旧制御機６４を撤去してリニューアルは完了する。
【００２３】
ここで、リニューアル途中で新集合玄関機１から居住者の呼出操作が成された場合のシステムの動作を具体的に説明する。新集合玄関機１の操作部１１が操作されて訪問先の住戸番号が入力されて呼出操作されると、集合玄関機ＣＰＵ１５はデータに変換した呼出信号を集合玄関機ＩＦ１６から新制御機４の本体４ａへ送信する。呼出信号は新制御機４の制御機第１ＩＦ４３で受信され、制御機ＣＰＵ４２にて呼出信号に含まれる被呼住戸番号情報が取得される。
【００２４】
制御機ＣＰＵ４２は、実際に接続された新居室親機２の住戸番号情報を適宜ＦＲＯＭ４１に書き込むのに加えて、今後接続される新居室親機２の住戸番号情報もＦＲＯＭ４１に書き込んでおり、このＦＲＯＭ４１の情報を元に被呼住戸番号情報を判断し、既に新居室親機２が接続されている住戸番号であるか、未だ接続されてない住戸番号であるか判断する。接続されている場合は、制御機第１ＩＦ４３から新居室親機２に呼出信号を送信して呼び出しを行い、接続されていない住戸に対しての呼び出しと判断した場合は、制御機第２ＩＦ４４を介してアダプタ４ｂに呼出信号を送信する。
【００２５】
また、呼出操作が成された新集合玄関機１は、カメラ１２が起動して呼出操作した来訪者を撮像し、その映像信号が図示しない変調部で変調されて呼出信号と同様に集合玄関機ＩＦ１６から新制御機４の本体４ａに送信される。制御機ＣＰＵ４２は、この映像信号も呼出信号と同様に新居室親機２或いはアダプタ４ｂの何れかに送信する。
【００２６】
ＦＲＯＭ４１の情報から新居室親機２への呼び出しであると制御機ＣＰＵ４２が判断したら、呼出信号が新居室親機２へ送信され、呼出音がスピーカ２３から報音されると共に、映像信号を受けてモニタ２４から来訪者映像が表示される。この呼出音に気づいた居住者により、通話ボタン２１が操作されて応答操作されると、呼出信号と逆の経路で新制御機４に応答信号が送信される。この応答信号を受けて、制御機ＣＰＵ４２は、新集合玄関機１と呼出先の新居室親機２の間の通話路を形成する。こうして、来訪者は居住者と通話ができるし、居住者は応答しながら来訪者を映像で確認できる。
【００２７】
一方、呼出先住戸にはまだ新居室親機２が接続されておらず、旧居室親機６２への呼び出しであると制御機ＣＰＵ４２が判断したら、アダプタ４ｂへ呼出信号が送信される。アダプタ第１ＩＦ５４がこの呼出信号を受信したら、アダプタＣＰＵ５３により、呼出信号が旧システムＳ２の通信プロトコルにデータ変換されて、アダプタ第２ＩＦ５５から旧制御機６４に送信される。
また、呼出信号に追従して新集合玄関機１から送信された映像信号もアダプタ４ｂに送信される。アダプタ第１ＩＦ５４で受信された映像信号は、変調方式変換部５１において旧システムＳ２が受信可能な映像信号に再変調され、呼出信号と同様にアダプタ第２ＩＦ５５から旧制御機６４に送信される。
【００２８】
旧制御機６４は、旧集合玄関機６１から呼出信号及び映像信号を受信する場合と同様に、アダプタ４ｂから呼出信号及び映像信号を受信したら、呼出先の旧居室親機６２に送信する。この呼出信号及び伝送信号を受信した旧居室親機６２は、呼出信号を受信した上記新居室親機２と同様に、呼び出しを報音すると共にモニタ６２ａから来訪者映像を表示する。
この呼出音に気づいた居住者により、通話ボタン６２ｂが操作されて応答操作されると、通話路が形成されて来訪者は居住者と通話ができるし、居住者は応答しながら来訪者を映像で確認できる。
【００２９】
このように、集合住宅インターホンシステムを更新する際に、新システムＳ１の制御機４として本発明の新制御機４を使用し、旧システムＳ２の制御機６４とアダプタ４ｂを接続することで、新システムＳ１の新集合玄関機１から旧居室親機６２も呼び出すことができ、集合玄関機１台で新旧双方のシステムを並行稼働させることができる。
その結果、システムを更新する途中の工程で、集合玄関機を新旧２台配置しておかなくても新旧何れかの居室親機を呼び出すことができ、エントランスが狭い集合住宅であっても、来訪者に迷惑をかけることなくスムーズなリニューアル作業を実施できる。また、呼び出しできる居室親機を変更する度に、その通知をエントランスに掲示する必要も無くなる。
更に、新旧制御機間の通信に際して通信プロトコルを変換するので、新旧のシステムの通信プロトコルが異なる構成であっても、新集合玄関機１から旧居室親機６２を呼び出すことが可能であり、更新機種が制限されることもない。
また、アダプタ４ｂは容易に取り外すことができるので、必要ない場合は取り外せば良いし、変更も容易となるため、接続先のシステムの通信プロトコルに合わせてアダプタ４ｂを交換することも可能となるため、制御機４のコストダウンを図ることができる。
また、映像信号の変調方式が異なっても来訪者撮像映像を接続した旧システムＳ２へ伝送できる。よって、新集合玄関機１から旧居室親機６２に映像信号を伝送することができ、呼出信号に合わせて映像情報を送信して表示させることができる。
【００３０】
尚、上記実施形態は、旧システムＳ２が集合玄関機６１にカメラを備えた構成となっているが、カメラを持たないシステムからカメラを備えたシステムにリニューアルする場合であっても上記新制御機４は容易に適用できる。また、カメラを備えたシステムのリニューアルであっても変調方式が同一の場合は、アダプタ４ｂに変調方式変換部５１を設ける必要がない。
更に、アダプタ４ｂを新制御機本体４ａとは別体としているが、一体としても良い。
【符号の説明】
【００３１】
１・・新集合玄関機（集合玄関機）、２・・新居室親機（居室親機）、４・・新制御機（制御機）、４ａ・・新制御機本体、４ｂ・・アダプタ（インターフェース手段）、１１・・操作部、１２・・カメラ、１５・・集合玄関機ＣＰＵ、１６・・集合玄関機ＩＦ、４１・・ＦＲＯＭ（接続親機ＩＤ記憶部）、４２・・制御機ＣＰＵ（ＩＤ登録制御手段、呼出制御手段）、４３・・制御機第１ＩＦ、４４・・制御機第２ＩＦ、５１・・変調方式変換部、５１ａ・・映像復調回路、５１ｂ・・映像変調回路、５３・・アダプタＣＰＵ（プロトコル変換部）、５４・・アダプタ第１ＩＦ（第１接続部）、５５・・アダプタ第２ＩＦ（第２接続部）、Ｓ１・・新集合住宅インターホンシステム。
【図１】
2011035469.tif 000003
【図２】
2011035469.tif 000004